(57)【要約】【課題】  鮮明な三次元映像を表示することが出来る三次元表示装置を、提供する。【解決手段】  三次元表示装置を、三次元映像がその内部に表示される空間である映像表示空間内の第１〜第４の位置に、順々に、スクリーン１０１〜１０４を出現させる動作を繰り返し行うスクリーン駆動機構と、供給された三次元映像信号に基づき、前記映像表示空間内の各位置に出現したスクリーン上に、焦点の合った，像倍率一定の映像を投影する映像投影機構とを備える装置として構成しておく。【選択図】  図２
2006146104.tif 000002
【特許請求の範囲】
【請求項１】
三次元映像がその内部に表示される空間である映像表示空間内の第１〜第Ｎの位置に、順々に、スクリーンを出現させる動作を繰り返し行うスクリーン駆動手段と、
供給された三次元映像信号に基づき、前記映像表示空間内の各位置に出現したスクリーン上に、焦点の合った，像倍率一定の映像を投影する映像投影手段
とを、備えることを特徴とする三次元表示装置。
【請求項２】
前記三次元映像信号に含まれる各１映像分の信号が、像倍率一定の映像を表す信号であり、
前記映像データ投影手段が、スクリーン上でのサイズが同サイズとなるように、映像を拡縮して投影する手段である
ことを特徴とする請求項１記載の三次元表示装置。
【請求項３】
前記スクリーン駆動手段が、モータを含む手段であり、
前記映像投影手段が、幾つかのレンズが組み合わされた、各レンズの位置を機械的に移動させることが必要な光学系であって、各レンズの位置が、前記スクリーン駆動手段に含まれる前記モータの回転軸の回転に伴い同期して変化するように構成された光学系を備えた手段である
ことを特徴とする請求項１又は請求項２に記載の三次元表示装置。
【請求項４】
前記映像データ投影手段が、スクリーンに対して斜めから映像を投影する手段である
ことを特徴とする請求項１乃至請求項３のいずれかに記載の三次元表示装置。
【発明の詳細な説明】
【技術分野】
【０００１】
本発明は、三次元映像（立体映像）を表示するための三次元表示装置に、関する。
【背景技術】
【０００２】
周知のように、眼鏡等を使用することなく観察可能な３次元映像（動画）を表示することが出来る三次元表示装置として、回転するスクリーン上に映像を投影するタイプの三次元表示装置（例えば、特許文献１参照。）や、観察者からの距離が異なる複数の液晶を備え、各液晶に順々に２次元映像を表示させることにより三次元映像を表示する三次元表示装置（例えば、特許文献２参照。）が、開発されている。
【０００３】
これらの三次元表示装置は、いずれも、三次元映像であると認識できるものを表示可能なものとなっている。ただし、前者の三次元表示装置は、スクリーンが回転する装置であるが故に、スクリーンの回転中心からの距離が離れた部分が比較的にぼんやりとした三次元映像を表示するものとなっている。また、後者の三次元表示装置１０は、映像を表示していない状態にある液晶の透過度が１００％でないため、鮮明なものであるとは言い切れない三次元映像を表示するものとなっている。
【特許文献１】特開２００１−５４１４４号公報
【特許文献２】特開平１０−２４３４２４号公報
【発明の開示】
【発明が解決しようとする課題】
【０００４】
そこで、本発明の課題は、既存の三次元表示装置よりも、鮮明な三次元映像を表示することが出来る三次元表示装置を、提供することにある。
【課題を解決するための手段】
【０００５】
上記課題を解決するために、本発明の三次元表示装置は、三次元映像がその内部に表示される空間である映像表示空間内の第１〜第Ｎの位置に、順々に、スクリーンを出現させる動作を繰り返し行うスクリーン駆動手段と、供給された三次元映像信号に基づき、前記映像表示空間内の各位置に出現したスクリーン上に、焦点の合った，像倍率一定の映像を投影する映像投影手段とを備える。
【０００６】
このような構成を有する本発明の三次元表示装置は、既存の，複数の液晶が用いられた三次元表示装置が有している欠点（映像が表示されていない液晶の透過度が１００％でないため、不鮮明な三次元映像が表示されるという欠点）も、既存の，スクリーンを回転させるタイプの三次元表示装置が有している欠点（スクリーンの回転中心からの距離が離れた部分が比較的にぼんやりとした三次元映像が表示されてしまうという欠点）も有さない装置として機能することになる。従って、本発明によれば、既存の三次元表示装置１０よりも、鮮明な三次元映像を表示することが出来る三次元表示装置を得ることが出来ることになる。
【０００７】
本発明の三次元表示装置を実現するに際しては、前記三次元映像信号に含まれる各１映像分の信号が、像倍率一定の映像を表す信号となるようにしておくと共に、前記映像データ投影手段として、スクリーン上でのサイズが同サイズとなるように、映像を拡縮して投影する手段を採用しておくことが出来る。
【０００８】
また、本発明の三次元表示装置を実現するに際しては、前記スクリーン駆動手段を、モータを含む手段としておくとともに、映像投影手段が、幾つかのレンズが組み合わされた、各レンズの位置を機械的に移動させることが必要な光学系であって、各レンズの位置が、前記スクリーン駆動手段に含まれる前記モータの回転軸の回転に伴い同期して変化するように構成された光学系を備えた手段としておくことが出来る。また、映像データ投影手段が、スクリーンに対して斜めから映像を投影する手段となるように、三次元表示装置１０を構成しておくことも出来る。
【発明を実施するための最良の形態】
【０００９】
以下、本発明を実施するための最良の形態を、図面を参照して詳細に説明する。
【００１０】
《第１実施形態》
図１に示したように、本発明の第１実施形態に係る三次元表示装置１０は、映像表示機構１１と制御ユニット１２とを備えた装置である。また、三次元表示装置１０は、本装置用の映像信号を供給可能な映像信号供給装置２０とアナログＲＧＢケーブル３０にて接続されて使用される装置となっている。
【００１１】
まず、図２〜図６を用いて、この三次元表示装置１０が備える映像表示機構１１の構成及び動作を、説明する。
【００１２】
図２に示してあるように、映像表示機構１１は、スクリーン駆動機構と映像投影機構とを組み合わせた機構である。なお、本実施形態に係る三次元表示装置１０は、スクリーン駆動機構が、本発明におけるスクリーン駆動手段に相当し、映像投影機構と制御ユニット１２とからなる部分が、本発明における映像投影手段に相当するものとなっている。
【００１３】
スクリーン駆動機構は、４枚のスクリーン１０１〜１０４と伝達歯車１０５と基準スクリーン検出用ホイール１１０とゼネバホイール１２０とが取り付けられたスクリーン用回転軸１００，スクリーンセンサ１１５，スクリーンモータ１５０，スクリーンモータ１５０の回転軸に取り付けられた駆動板１６０等からなる機構である。
【００１４】
スクリーン１０１〜１０４は、映像投影機構（詳細は後述）による映像の投影対象として機能する部材である。図３（Ａ），（Ｂ）（及び図１）に示してあるように、スクリーン１０１〜１０４は、スクリーン用回転軸１００の側面上の，円周方向の位置（角度）が９０度ずつ異なり，回転軸方向の間隔が一定値Ｌ１となっている４位置に取り付けられている。また、スクリーン１０１〜１０４は、いずれも、その映像投影面がスクリーン用回転軸１００の回転軸方向と直交するように、スクリーン用回転軸１００に取り付けられている。
【００１５】
スクリーンモータ１５０の回転軸に取り付けられている駆動板１６０は、その回転中心から離れた箇所に駆動ピン１６１が設けられている部材である。ゼネバホイール１２０は、駆動ピン１６１用の案内溝が，その外周部の４箇所に９０度間隔で形成されている円盤状部材である。
【００１６】
図４に示してあるように、これらの部材は、駆動板１６０上の駆動ピン１６１が実線矢印で示してある範囲を移動している間に、スクリーン用回転軸１００が９０度回転し，駆動ピン１６１が点線矢印で示してある範囲を移動している間は、スクリーン用回転軸１００が停止する形状のものとなっている。なお、ゼネバホイール１２０は、スクリーン１０１，１０２，１０３或いは１０４が、投影対象位置（図２においてスクリーン用回転軸１００の上方向に、実線あるいは点線で示されている位置）で停止することになる角度で、スクリーン用回転軸１００に対して取り付けられている。
【００１７】
基準スクリーン検出用ホイール１１０（図２）は、その縁の一部に切り込みが形成されている円盤状の部材である。スクリーンセンサ１１５は、発光素子と受光素子とが組み合わされたセンサ（いわゆる透過型フォトセンサ）である。このスクリーンセンサ１１５は、スクリーン１０１が投影対象位置に来たときに、上記切り込みが，発光素子と受光素子との間に入る位置（要するに、スクリーン１０１が投影対象位置に来たことを検出できる位置）に、設けられている。
【００１８】
映像投影機構（図２）は、ランプ２５０，集光レンズ２５１，光トンネル２５２，カラーホイール２６０，ＣＷモータ（図示せず），ＣＷセンサ（図示せず），コンデンサーレンズ２５３，凹面鏡２５４，ＤＭＤ素子２５５〔ＤＭＤ(Digital Micromirror Device）は、米国テキサス・インスツルメンツ社の商標〕，投影用光学系２００，カム歯車２２５が取り付けられたレンズカム軸２２０等からなる機構である。
【００１９】
この映像投影機構は、図示してあるように、レンズカム軸２２０に取り付けられているカム歯車２２５が，スクリーン駆動機構内のスクリーン用回転軸１００に取り付けられている伝達歯車２５０と噛み合う位置に設けられた機構となっている。すなわち、映像投影機構は、スクリーン用回転軸１００が９０度回転したときに、レンズカム軸２２０が９０度（回転方向は逆）回転するように構成された機構となっている。
【００２０】
映像投影機構に含まれるランプ２５０は、白色光を発する光源である。集光レンズ２５１は、ランプ２５０からの光（白色光）を集光するためのレンズである。光トンネル２５２は、集光レンズ２５１からの光を、ほぼ均一な光量分布の光とするための光学素子である。カラーホイール２６０は、光トンネル２５２からの光（白色光）を単色化するための部材（Ｒ，Ｇ，Ｂフィルタが取り付けられた円盤状の部材）である。ＣＷモータ（図示せず）は、このカラーホイール２６０を回転させるためのモータであり、ＣＷセンサ（図示せず）は、カラーホイール２６０が１回転したことを検出可能なセンサである。
【００２１】
コンデンサーレンズ２５３は、カラーホイール２６０によって単色化された光を、ほぼ平行な光とするためのレンズである。ＤＭＤ素子２５５は、ＯＮ／ＯＦＦ制御が可能な多数のマイクロミラーを有する半導体素子である。凹面鏡２５４は、コンデンサーレンズ２５３からの光（Ｒ光，Ｇ光或いはＢ光）を当該ＤＭＤ素子２５５上に導入（照射）するための光学素子である。
【００２２】
投影用光学系２００は、図５に示してあるような構成の光学系である。すなわち、投影用光学系２００は、レンズ２０１1を保持したレンズ枠２０２1，レンズ２０１2を保持したレンズ枠２０２2及びレンズ２０１3を保持したレンズ枠２０２3を、レンズ鏡胴２１０内に収容した光学系であると共に、各レンズ枠２０２X（Ｘ＝１〜３）に取り付けられているレンズ駆動ピン２０３Xを外部から操作することにより、各レンズ枠２０２X（レンズ２０１X）のレンズ鏡胴２１０内での位置（図５における左右方向の位置）を調整できる光学系となっている。
【００２３】
また、レンズカム軸２２０は、同図に示してあるように、その側面に、投影用光学系２００のレンズ駆動ピン２０３1〜２０３3を駆動するための案内溝２２１1〜２２１3が形成された円柱状の部材となっている。
【００２４】
要するに、映像投影機構は、スクリーン用回転軸１００の回転によりレンズカム軸２２０が回転すると、各レンズ２０１Xのレンズ鏡胴２１０内での位置が変わる構成を有するものとなっている。
【００２５】
そして、映像投影機構は、図６に模式的に示してあるように、投影対象位置に存在するいずれのスクリーン上にも、ＤＭＤ素子２５５からの反射光を、合焦，像倍率一定の像として投影することが出来るように、レンズカム軸２２０の側面上の案内溝２２１1〜２２１3の形状，投影用光学系２００内の各レンズ２０１Xの仕様及びレンズ鏡胴２１０内での移動可能範囲等が定められて設計・製造されたものとなっている。
【００２６】
三次元表示装置１０が備える制御ユニット１２の構成等を説明する前に、ここで、映像信号供給装置２０の構成及び動作を説明しておくことにする。
【００２７】
映像信号供給装置２０は、三次元表示装置１０用の映像データファイルに基づき、映像信号を生成してアナログＲＧＢケーブル３０上に出力する機能を有する装置である。なお、本実施形態に係る映像信号供給装置２０は、三次元表示装置１０用のものとして開発したインタフェースボードを、コンピュータに取り付けることによって実現されたものとなっている。また、詳細説明は省略するが、三次元表示装置１０用の映像データファイルは、多数の映像データ（１個のカラー映像の内容を規定するデータ）を、各映像データの使用順（各映像データを信号化する順番）が分かる形で含むものとなっている。そして、映像信号供給装置２０は、その映像データファイルに基づき、１秒毎に３０フレーム分の信号を含む映像信号を生成して出力する装置として構成されている。
【００２８】
この映像信号供給装置２０がアナログＲＧＢケーブル３０内のＧ信号線を除く各信号線上に出力する信号は、一般的なコンピュータが自身に接続されたアナログＲＧＢケーブル上の対応する信号線上に出力するものと基本的には同じ信号である。ただし、映像信号供給装置２０がＧ信号線上に出力する信号は、図７に模式的に示してあるような信号となっている。すなわち、映像信号供給装置２０がＧ信号線上に出力する信号は、一般的なコンピュータが出力するＧ信号に、当該Ｇ信号がスクリーン１０１に表示されるべき映像（図では、スクリーン１０１用映像）のＧ成分を表すものとなる所定時間前に，そのレベルがパルス状に変化するＺ同期信号（以下、ＺＳＹＮＣと表記する）を重畳させた信号となっている。
【００２９】
本実施形態に係る三次元表示装置１０が備える制御ユニット１２は、この映像信号供給装置２０によって出力される映像信号の入力を受けて機能する，図８に示した構成のユニットである。なお、上記したように、映像信号供給装置２０がＧ信号線上に出力する信号は、通常のＧ信号とは異なる信号なのであるが、以下では、説明の便宜上、この信号のこともＧ信号と表記する。
【００３０】
すなわち、制御ユニット１２は、映像信号用インタフェース回路（映像信号用ＩＦ回路）２１，同期信号用インタフェース（回路同期信号用ＩＦ回路）２２，映像処理回路２３，３個のフレームバッファ２４，ＤＭＤ制御用インタフェース回路（ＤＭＤ制御用ＩＦ回路）２５，ＣＷモータ制御回路２６，マイクロコントローラ２７，スクリーンモータ制御回路２８を、備える。なお、図示は省略してあるが、制御ユニット１２は、ランプ２５０を点灯させるための電源等も備えている。
【００３１】
この制御ユニット１２に含まれるマイクロコントローラ２７は、制御ユニット１２内の各回路の動作を開始させる処理や、映像処理回路２３の動作条件を設定（変更）する処理等を行う集積回路である。
【００３２】
映像信号用インタフェース回路２１は、三次元表示装置１０に供給されている映像信号中のＲ，Ｇ，Ｂ信号をデジタル化する回路である。同期信号用インタフェース回路２２は、映像信号中のＶＳＹＮＣ（垂直同期信号），ＨＳＹＮＣ（水平同期信号）を出力すると共に、映像信号中のＧ信号からＺＳＹＮＣを抽出して出力する回路である。
【００３３】
ＣＷモータ制御回路２６は、ＣＷセンサが出力する信号ＣＷＳＹＮＣが、ＶＳＹＮＣと同期した，ＶＳＹＮＣの倍周期の信号となるように、ＣＷモータを制御する回路（ＣＷモータを等速で回転させる回路）である。スクリーンモータ制御回路２８は、スクリーンセンサ１１５が出力する信号が，ＺＳＹＮＣと同期するように、スクリーンモータ１５０を制御する回路（スクリーンモータ１５０を等速で回転させる回路）である。
【００３４】
ＤＭＤ制御用インタフェース回路２５は、映像処理回路２３からのデータに基づき、ＤＭＤ素子２５５を実際に制御する回路（ＤＭＤ素子２５５の各ミラーのＯＮ時間を調整する回路）である。
【００３５】
映像処理回路２３は、映像信号用インタフェース回路２１からのＲ，Ｇ，Ｂデジタルデータに基づき、ＤＭＤ制御用インタフェース回路２５に供給するデータを，３個の（各色用の）フレームバッファ２４上に用意する処理や、各フレームバッファ２４上に用意したデータをＤＭＤ制御用インタフェース回路２５に供給する処理〔１映像分のデータ（６種のデータ）をＤＭＤ制御用インタフェース回路２５に供給する処理〕を、ＶＳＹＮＣに同期した形で行う回路である。要するに、映像処理回路２３は、既存の１チップＤＭＤプロジェクタ内に設けられている対応する回路（イメージプロセッサ、スキャンラインビデオプロセッサ等と呼ばれているもの）と基本的には同内容の処理を行う回路となっている。
【００３６】
ただし、映像処理回路２３は、ＺＳＹＮＣに基づき、スクリーン１０１が投影対象位置に来るタイミングと、処理対象となっている映像データがいずれのスクリーン上に投影されるべき映像用のものであるかとを、把握して、スクリーン１０１が投影対象位置に来たときに、スクリーン１０１上に投影されるべき映像に関するデータをＤＭＤ制御用インタフェース回路２５に供給する回路となっている。
【００３７】
以上、説明したように、本実施形態に係る三次元表示装置１０は、スクリーン１０１〜１０４を、順々に、投影対象位置に出現させる動作を繰り返し行うスクリーン駆動機構と、映像信号供給装置２０から供給された映像信号に基づき、各投影対象位置に出現したスクリーン上に、焦点の合った，像倍率一定の映像を投影する映像投影機構及び制御ユニット１２とを、備えている。
【００３８】
従って、この第１実施形態に係る三次元表示装置１０は、既存の，複数の液晶が用いられた三次元表示装置が有している欠点（映像が表示されていない液晶の透過度が１００％でないため、不鮮明な三次元映像が表示されるという欠点）も、既存の，スクリーンを回転させるタイプの三次元表示装置が有している欠点（スクリーンの回転中心からの距離が離れた部分が比較的にぼんやりとした三次元映像が表示されてしまうという欠点）も有さない装置（つまり、鮮明な三次元映像を表示することが出来る装置）として機能することになる。
【００３９】
《第２実施形態》
本発明の第２実施形態に係る三次元表示装置は、上気した三次元表示装置１０を変形したものである。このため、以下では、三次元表示装置１０と異なる部分を中心に、本発明の第２実施形態に係る三次元表示装置の構成及び動作を、説明することにする。
【００４０】
図９に示したように、本発明の第２実施形態に係る三次元表示装置１０ｂは、映像表示機構１１ｂと制御ユニット１２ｂとを備えた装置である。また、三次元表示装置１０ｂは、本装置用の映像信号を供給可能な映像信号供給装置２０ｂとアナログＲＧＢケーブル３０にて接続されて使用される装置となっている。
【００４１】
この三次元表示装置１０ｂが備える映像表示機構１１ｂは、図１０及び図１１に示したような構成を有する機構である。
【００４２】
すなわち、映像表示機構１１ｂは、カムシャフト３５０を等速回転させると、６枚のスクリーン３０１〜３０６が順々に投影光学系４００の前面に出現することになる構成を有する機構となっている。
【００４３】
また、映像表示機構１１ｂに用いられている投影光学系４００は、図１２に示した構成のものとなっている。
【００４４】
すなわち、投影用光学系４００は、レンズ４０１1を保持したレンズ枠４０２1，レンズ４０１2を保持したレンズ枠４０２2及びレンズ４０１3を保持したレンズ枠４０２3を、レンズ鏡胴４１０に複数のワットリンク機構４０５によって取り付けた光学系であると共に、各レンズ枠４０２X（Ｘ＝１〜３）に取り付けられているレンズ駆動ピン４０３Xを外部から操作することにより、各レンズ枠４０２X（レンズ４０１X）のレンズ鏡胴４１０内での位置を調整できる光学系となっている。
【００４５】
そして、映像表示機構１１ｂは、この投影光学系４００内の各レンズ４０１Xの位置が、その側面に、投影用光学系４００のレンズ駆動ピン４０３1〜４０３3を駆動するための案内溝４５１1〜４５１3が形成されているレンズカム軸４５０の回転により制御される機構となっている。なお、映像表示機構１１ｂは、映像表示機構１１と同様に、カムシャフト３５０からレンズカム軸４５０へ動力が伝達される構成（ただし、歯車数がより多いもの）を採用した機構となっている。
【００４６】
さらに、映像投影機構１１ｂは、図１３に模式的に示してあるように、投影対象位置に存在するいずれのスクリーン上にも、ＤＭＤ素子４６０からの反射光を、合焦，像倍率一定の映像として投影することが出来るように、レンズカム軸４５０の側面上の案内溝４５１1〜４５１3の形状，投影用光学系４００内の各レンズ４０１Xの仕様及びレンズ鏡胴４１０内での移動可能範囲等が定められて製造されたものとなっている。
【００４７】
そして、第２実施形態に係る三次元表示装置１０ｂと接続される映像信号供給装置２０ｂは、三次元表示装置１０ｂ用の映像データファイルに基づき、図１４に示したように時間変化するＧ信号をＧ信号線上に出力するように、映像信号供給装置２０を変形した装置となっており、三次元表示装置１０ｂが備える制御ユニット１２ｂは、映像信号供給装置２０ｂからの映像信号を処理できるように、制御ユニット１２を変形したものとなっている。
【００４８】
以上、説明したように、第２実施形態に係る三次元表示装置１０ｂは、スクリーン１０１〜１０６を、順々に、投影対象位置に出現させる動作を繰り返し行う機能と、映像信号供給装置２０ｂから供給された映像信号に基づき、各投影対象位置に出現したスクリーン上に、焦点の合った，像倍率一定の映像を投影する機能とを、有している。
【００４９】
このため、この三次元表示装置１０ｂも、三次元表示装置１０と同様に、既存の三次元表示装置が有している欠点を有さない装置（つまり、鮮明な三次元映像を表示することが出来る装置）として機能することになる。
【００５０】
また、この三次元表示装置１０ｂの構成は、三次元表示装置１０ｂの装置サイズを大きくすることなくスクリーンの枚数を増やせる構成であるので、スクリーンの枚数を増やした場合，装置サイズが大きくならざるを得ない三次元表示装置１０の構成に比して、スクリーン枚数を増加させることによる高性能化が容易な構成であるとも言うことが出来る。
【００５１】
《第３実施形態》
本発明の第３実施形態に係る三次元表示装置は、本発明の第１実施形態に係る三次元表示装置１０の一部を変形したものである。このため、以下では、第１実施形態に係る三次元表示装置１０の説明時に用いたものと同じ符号を用いて、本発明の第３実施形態に係る三次元表示装置の，三次元表示装置１０と異なっている部分についてのみ、説明することにする。
【００５２】
図１５に示してあるように、本発明の第３実施形態に係る三次元表示装置は、スクリーン１０１〜１０４に斜め下方から映像を投影できる投影用光学系２００（いわゆるキーストン補正が常に行われるように設計、製造された光学系）が用いられたものとなっている。そして、第３実施形態に係る三次元表示装置は、スクリーン用回転軸１００の側面上に案内溝２２１1〜２２１3を形成し、当該案内溝２２１1〜２２１3によって投影用光学系２００内の各レンズ２０１Xの位置制御が行われるように、設計、製造した装置となっている。
【００５３】
《変形形態》
上記した各実施形態に係る三次元表示装置は、各種の変形を行うことが出来る。例えば、レンズカム軸２２０，４５０の駆動が、スクリーンモータ１５０とは別のモータにより行われるように、三次元表示装置１０，１０ｂを変形することも出来る。ただし、そのように変形した場合、レンズカム軸２２０とスクリーン用回転軸１００とを同期的に動作させるための機構、或いは、レンズカム軸４５０とカムシャフト３５０とを同期的に動作させるための機構が必要となるので、上記した構成を採用しておくことが望ましい。
【００５４】
また、映像データファイル中のデータを、倍率を変えずに各スクリーンに表示できるものとしておけば、投影用光学系２００，４００として、変倍機能を有さないものを用いた形で三次元表示装置を製造できることになる。ただし、そのようなデータを作成するのは大変な作業であるし、そのような構成を採用した場合、光量不足や解像度不足が発生することになるので、上記構成を採用しておくことが望ましい。
【００５５】
また、各実施形態に係る三次元表示装置を、各色毎にＤＭＤ素子が設けられた装置や、４色に分けるカラーホイール２６０（ニュートラルフィルターも備えたカラーホイール２６０）が用いられた装置に変形しても良いことや、モノクロ三次元映像を表示する装置（カラーホイール２６０を備えない装置）に変形しても良いことは、当然のことである。
【図面の簡単な説明】
【００５６】
【図１】本発明の第１実施形態に係る三次元表示装置の構成、使用形態の説明図。
【図２】第１実施形態に係る三次元表示装置が備える映像表示機構の構成図。
【図３】第１実施形態に係る映像表示機構内に設けられているスクリーン用回転軸の説明図。
【図４】第１実施形態に係る映像表示機構内に設けられている，ゼネバホイール関連の構成の説明図。
【図５】第１実施形態に係る映像表示機構内に設けられている投影用光学系及びレンズカム軸の説明図。
【図６】第１実施形態に係る映像表示機構の機能の説明図。
【図７】第１実施形態に係る映像信号供給装置が出力するＧ信号の説明図。
【図８】第１実施形態に係る三次元表示装置が備える制御ユニットの構成図。
【図９】本発明の第２実施形態に係る三次元表示装置の構成、使用形態の説明図。
【図１０】第２実施形態に係る三次元表示装置が備える映像表示機構の要部構成図。
【図１１】第２実施形態に係る映像表示機構の要部構成図。
【図１２】第２実施形態に係る映像表示機構内に設けられている投影用光学系及びレンズカム軸の説明図。
【図１３】第２実施形態に係る映像信号供給装置が出力するＧ信号の説明図。
【図１４】第２実施形態に係る映像表示機構の機能の説明図。
【図１５】本発明の第３実施態に係る三次元表示装置が備える映像表示機構の要部構成図。
【符号の説明】
【００５７】
１０  三次元表示装置
１１  映像表示機構
１２  制御ユニット
２１  映像信号用インタフェース回路
２２  同期信号用インタフェース
２３  映像処理回路
２４  フレームバッファ
２５  ＤＭＤ制御用インタフェース回路
２６  ＣＷモータ制御回路
２７  マイクロコントローラ
２８  スクリーンモータ制御回路
１００  スクリーン用回転軸
１０１〜１０４，３０１〜３０６  スクリーン
１０５  伝達歯車
１１０  基準スクリーン検出用ホイール
１１５  スクリーンセンサ
１２０  ゼネバホイール
１５０  スクリーンモータ
１６０  駆動板
１６１  駆動ピン
２００，４００  投影用光学系
２０１，４０１  レンズ
２０２，４０２  レンズ枠
２０３，４０３  レンズ駆動ピン
２１０  レンズ鏡胴
２２０，４５０  レンズカム軸
２２５  カム歯車
２５０  ランプ
２５１  集光レンズ
２５２  光トンネル
２６０  カラーホイール
２５３  コンデンサーレンズ
２５４  凹面鏡
２５５，４６０  ＤＭＤ素子
３５０  カムシャフト
【図１】
2006146104.tif 000003
【図２】
2006146104.tif 000004
【図３】
2006146104.tif 000005
【図４】
2006146104.tif 000006
【図５】
2006146104.tif 000007
【図６】
2006146104.tif 000008
【図７】
2006146104.tif 000009
【図８】
2006146104.tif 000010
【図９】
2006146104.tif 000011
【図１０】
2006146104.tif 000012
【図１１】
2006146104.tif 000013
【図１２】
2006146104.tif 000014
【図１３】
2006146104.tif 000015
【図１４】
2006146104.tif 000016
【図１５】
2006146104.tif 000017